(57)【要約】【課題】汚損した貨幣や旧貨幣等の管理を効率化し、作業負担を軽減すること。【解決手段】汚損した貨幣や旧貨幣等の特殊貨幣を受け付けると、その表面を撮像し、得られた画像を表示する。特殊貨幣の金種や券種等の貨幣情報の入力を受け付け、表示された記番号等の確認が完了したならば、特殊貨幣に対して処理日時、券種別連番、支店名、担当者等を特定情報として印字する。印字を行った特殊貨幣を再び撮像し、印字前後の画像と、貨幣情報と、特定情報とを関連付けて管理する。【選択図】図１
2015095106.tif 000002
【特許請求の範囲】
【請求項１】
特殊貨幣を取り扱う貨幣処理装置であって、
前記特殊貨幣に関する貨幣情報を受け付ける特殊貨幣受付手段と、
前記特殊貨幣に対して特定の情報を示す特定情報を印字する印字手段と
を備えたことを特徴とする貨幣処理装置。
【請求項２】
前記特殊貨幣を撮像する撮像手段と、
前記撮像手段により撮像された特殊貨幣画像の少なくとも一部を表示する表示手段と、
をさらに備え、
前記印字手段は、前記特殊貨幣画像を用いた確認処理の終了後に前記特定情報の印字を行う
ことを特徴とする請求項１に記載の貨幣処理装置。
【請求項３】
前記貨幣情報と前記特定情報とを関連付けて記憶する記憶手段をさらに備え、
前記撮像手段は、前記印字手段による印字が行われた後の特殊貨幣をさらに撮像し、
前記記憶手段は、前記印字手段による印字の前後の特殊貨幣画像を関連付けて記憶する
ことを特徴とする請求項２に記載の貨幣処理装置。
【請求項４】
前記表示手段は、前記特殊貨幣画像の記番号部分を少なくとも表示し、
前記印字手段は、前記特殊貨幣画像内の複数の記番号が一致することが確認された場合に、前記記番号の一致を確認したことを示す情報を前記記番号近傍に印字する
ことを特徴とする請求項２又は３に記載の貨幣処理装置。
【請求項５】
前記特殊貨幣受付手段は、前記特殊貨幣の金種及び券種を前記貨幣情報として受け付け、
前記印字手段は、前記貨幣情報の受け付け後に前記特定情報の印字を行う
ことを特徴とする請求項１〜４のいずれか一つに記載の貨幣処理装置。
【請求項６】
前記印字手段は、印字を行った日時、店舗及び／又は担当者を示す情報を前記特定情報として印字することを特徴とする請求項１〜５のいずれか一つに記載の貨幣処理装置。
【請求項７】
前記印字手段は、可視領域において透明なインクを用いて前記特定情報を印字することを特徴とする請求項１〜６のいずれか一つに記載の貨幣処理装置。
【請求項８】
前記印字手段は、前記特殊貨幣が所定の被覆媒体により被覆されて搬送されている場合には前記特定情報の印字を行わないことを特徴とする請求項１〜７のいずれか一つに記載の貨幣処理装置。
【請求項９】
前記印字手段は、前記被覆媒体により被覆されて搬送された特殊貨幣が補修され、当該補修された特殊貨幣が再度受け付けられた場合に、前記補修された特殊貨幣に前記特定情報を印字することを特徴とする請求項８に記載の貨幣処理装置。
【請求項１０】
特殊貨幣を取り扱う貨幣処理方法であって、
前記特殊貨幣に関する貨幣情報を受け付ける特殊貨幣受付ステップと、
前記特殊貨幣に対して特定の情報を示す特定情報を印字する印字ステップと
を含んだことを特徴とする貨幣処理方法。
【発明の詳細な説明】
【技術分野】
【０００１】
この発明は、汚損した貨幣や旧貨幣等の特殊貨幣を取り扱う貨幣処理装置及び貨幣処理方法に関する。
【背景技術】
【０００２】
従来、銀行等の金融機関の営業店では営業店内の貨幣等を管理するために出納機と呼ばれる貨幣処理装置が利用されている（例えば、特許文献１参照。）。出納機には紙幣や硬貨が入出金されるが、この入出金の際に各貨幣の金種、正損、真偽等が識別され、識別結果に基づいて金種別の金額や入出金の合計金額が算出される。
【０００３】
貨幣処理装置で識別できない損傷度合いの激しい紙幣等、機械受付できない貨幣については、金額データ等の必要なデータを出納機に入力する操作を行って、貨幣現物は出納機に付属のポストへ投入して管理される。このポストには貨幣以外に小切手や手形等の有価媒体も収納されるようになっている。
【先行技術文献】
【特許文献】
【０００４】
【特許文献１】特開２００３−１５０７９３号公報
【発明の概要】
【発明が解決しようとする課題】
【０００５】
しかしながら、ポストには、機械受付できない貨幣に加え、小切手や手形などの貨幣以外の有価媒体も混在で収納されるため、ポストから取り出された全有価媒体を、行員の手によって種類別に仕分けると共に枚数を数え、ポストに投入する際に入力されたデータと現物とが合っているか照合する必要がある。さらに、破れているなど損傷度合いの激しい貨幣については、不正が行われていないかの確認のために記番号の一致など特定の情報を確認しなければならないため、行員に大きな負担を与えていた。
【０００６】
具体的には、損傷度合の激しい貨幣に対しては、行員による確認を行った後、記番号に線を引く、店名等の印を押すなどを行って、確認済であることを明確にする運用が行われており、その作業が行員にとって大きな負担となっていた。
【０００７】
本発明は、上記従来技術の課題を解消するためになされたもので、汚損した貨幣や旧貨幣等の管理を効率化し、作業負担を軽減することのできる貨幣処理装置及び貨幣処理方法を提供することを目的とする。
【課題を解決するための手段】
【０００８】
上述した課題を解決し、目的を達成するため、本発明は、特殊貨幣を取り扱う貨幣処理装置であって、前記特殊貨幣に関する貨幣情報を受け付ける特殊貨幣受付手段と、前記特殊貨幣に対して特定の情報を示す特定情報を印字する印字手段とを備えたことを特徴とする。
【０００９】
また、本発明は、上記発明において、前記特殊貨幣を撮像する撮像手段と、前記撮像手段により撮像された特殊貨幣画像の少なくとも一部を表示する表示手段と、をさらに備え、前記印字手段は、前記特殊貨幣画像を用いた確認処理の終了後に前記特定情報の印字を行うことを特徴とする。
【００１０】
また、本発明は、上記発明において、前記貨幣情報と前記特定情報とを関連付けて記憶する記憶手段をさらに備え、前記撮像手段は、前記印字手段による印字が行われた後の特殊貨幣をさらに撮像し、前記記憶手段は、前記印字手段による印字の前後の特殊貨幣画像を関連付けて記憶することを特徴とする。
【００１１】
また、本発明は、上記発明において、前記表示手段は、前記特殊貨幣画像の記番号部分を少なくとも表示し、前記印字手段は、前記特殊貨幣画像内の複数の記番号が一致することが確認された場合に、前記記番号の一致を確認したことを示す情報を前記記番号近傍に印字することを特徴とする。
【００１２】
また、本発明は、上記発明において、前記特殊貨幣受付手段は、前記特殊貨幣の金種及び券種を前記貨幣情報として受け付け、前記印字手段は、前記貨幣情報の受け付け後に前記特定情報の印字を行うことを特徴とする。
【００１３】
また、本発明は、上記発明において、前記印字手段は、印字を行った日時、店舗及び／又は担当者を示す情報を前記特定情報として印字することを特徴とする。
【００１４】
また、本発明は、上記発明において、前記印字手段は、可視領域において透明なインクを用いて前記特定情報を印字することを特徴とする。
【００１５】
また、本発明は、上記発明において、前記印字手段は、前記特殊貨幣が所定の被覆媒体により被覆されて搬送されている場合には前記特定情報の印字を行わないことを特徴とする。
【００１６】
また、本発明は、上記発明において、前記印字手段は、前記被覆媒体により被覆されて搬送された特殊貨幣が補修され、当該補修された特殊貨幣が再度受け付けられた場合に、前記補修された特殊媒体に前記特定情報を印字することを特徴とする。
【００１７】
また、本発明は、特殊貨幣を取り扱う貨幣処理方法であって、前記特殊貨幣に関する貨幣情報を受け付ける特殊貨幣受付ステップと、前記特殊貨幣に対して特定の情報を示す特定情報を印字する印字ステップとを含んだことを特徴とする。
【発明の効果】
【００１８】
本発明によれば、特殊貨幣に関する貨幣情報を受け付けるとともに、特殊貨幣に対して特定の情報を示す特定情報を印字するよう構成したので、汚損した貨幣や旧貨幣等の管理を効率化し、作業負担を軽減することができる。
【図面の簡単な説明】
【００１９】
【図１】図１は、実施例に係る特殊貨幣への印字について説明するための説明図である。
【図２】図２は、現金処理装置の外観図である。
【図３】図３は、現金処理装置の機能構成を示す機能ブロック図である。
【図４】図４は、特殊媒体データ管理部が管理するデータについて説明するための説明図である。
【図５】図５は、特殊貨幣の受付に係る処理手順を示すフローチャートである。
【図６】図６は、バラ紙幣処理部の構成を示すブロック図である。
【図７】図７は、束紙幣処理部の構成を示すブロック図である。
【図８】図８は、バラ硬貨処理部の構成を示すブロック図である。
【図９】図９は、包装硬貨処理部の構成を示すブロック図である。
【図１０】図１０は、損貨処理装置の構成を示すブロック図である。
【図１１】図１１は、損券処理装置の構成を示すブロック図である。
【図１２】図１２は、センタで特殊貨幣のデータを利用する場合について説明するための説明図である。
【発明を実施するための形態】
【００２０】
以下に、添付図面を参照して、本発明に係る貨幣処理装置及び貨幣処理方法の好適な実施例を詳細に説明する。なお、以下の実施例では、汚損した貨幣や旧貨幣等の特殊貨幣を取り扱う装置と、機械的に真偽判定することのできる貨幣を取り扱う貨幣処理装置とを含む現金処理装置に本発明を適用した場合を例に説明する。また、本発明は、銀行等の金融機関の他、大型店舗等の商業施設においても利用可能な技術であるが、以下の実施例では、銀行を例に説明を行う。
【実施例】
【００２１】
まず、本実施例に係る特殊貨幣の処理について説明する。本実施例に係る現金処理装置１は、汚損した貨幣、磨耗や破損した貨幣や旧貨幣等の特殊貨幣を受け付けると、その表面を撮像し、得られた画像を表示する。このとき、少なくとも記番号が視認可能となるように表示する。
【００２２】
操作者は、特殊貨幣の額面を示す金種や新旧（つまり、発行された年代）を示す券種を貨幣情報として入力するとともに、表示された記番号等を確認する。その後、現金処理装置１は、図１に示すように、特殊貨幣に対して特定情報の印字を行う。特定情報として印字されるのは、処理日時、券種別連番、支店名、担当者等である。また、上下の記番号にはその一致を確認したことを示す下線を特定情報として印字する。なお、ここでは下線を用いる場合を例示したが、チェックマークや丸印等の記号、確認済を示す文字列等、任意の特定情報を記番号の一致を示す情報として用いることができる。
【００２３】
現金処理装置１は、印字を行った特殊貨幣を再び撮像し、表示する。また、印字前に撮像した印字前画像と、印字後に撮像した印字後画像と、入力された貨幣情報と、印字した特定情報とを関連付けて記憶部に格納する。その後、特殊貨幣は、入力された貨幣情報により定まる適切な収納部に搬送される。
【００２４】
このように、特殊貨幣が取り込まれた時点で特定情報の印字を自動的に行うことにより、その作業負担を大きく軽減することができる。また、特定情報と貨幣情報を関連付けて管理することで、特殊貨幣の管理を効率的に行うことができる。
【００２５】
なお、特殊貨幣への印字に使用するインクは任意のものを用いることができるが、可視領域において透明な不可視のインクを用いてもよい。不可視のインクを用いれば、印字された特定情報を確認する際には対応する装置が必要となり、特定情報に対する不正を防止することができるためである。
【００２６】
また、特殊貨幣がキャリアシートに被覆されている場合には、特殊貨幣自体に印字することができないため、印字を行わない。キャリアシートは、一部が接合された一対の透明シートから構成されており、この一対の透明シートの間に特殊貨幣を挟み込めるようになっている。特殊貨幣をキャリアシートに挟んで被覆することにより、そのままでは正常に搬送できないほど損傷した貨幣であっても搬送が可能となる。
【００２７】
キャリアシートに挟まれて搬送され、収納された特殊貨幣は、その後、取り出されて補修され、再び取り込まれる。この補修後の特殊貨幣に対して、特定情報の印字を行う。
【００２８】
次に、現金処理装置の外観について説明する。図２は、現金処理装置の外観図である。現金処理装置１では、バラ紙幣処理部１００及び束紙幣処理部２００から成る紙幣処理装置１０と、バラ硬貨処理部３００及び包装硬貨処理部４００から成る硬貨処理装置２０との間に、損券処理装置６００が配置され、損券処理装置６００の上面に損貨処理装置５００が配置されている。紙幣処理装置１０及び硬貨処理装置２０の上面には、それぞれ表示操作部４０及びプリンタ５０が配置され、それぞれの装置で作業する操作員は、各装置の前から移動することなく表示操作部４０の操作や表示情報の確認を行えるようになっている。
【００２９】
バラ紙幣処理部１００は、筐体前面に、入金されるバラ紙幣を受け入れるためのバラ紙幣入金口１１０とリジェクトされたバラ紙幣を投出するための入金リジェクト部１２０を有し、筐体上面に、出金されるバラ紙幣を排出するためのバラ紙幣出金口１５２を有している。束紙幣処理部２００は、筐体前面上部に、束紙幣を排出するための帯封紙幣出金口２１８を有し、筐体前面下部に、束紙幣を機外へ投出するための帯封紙幣投出口２２１を有している。
【００３０】
バラ硬貨処理部３００は、筐体上面に、入金されるバラ硬貨を受け入れるためのバラ硬貨入金口３１０を有し、筐体前面に、出金されるバラ硬貨を排出するためのバラ硬貨出金口３７０、リジェクトされたバラ硬貨を投出するための入金リジェクト口３２２、硬貨袋を取り付けて該硬貨袋内にバラ硬貨を回収できるように形成された袋取シュート部３２４、入金処理途中に処理がキャンセルされたバラ硬貨を排出するための返却回収箱３２６を有している。包装硬貨処理部４００は、筐体前面上部に、包装硬貨を排出するための包装硬貨出金口４８０を有し、その下に、大量の包装硬貨を一括回収するための包装硬貨一括箱４６０と包装硬貨を機外へ投出するための包装硬貨投出口４７０とを有している。
【００３１】
損貨処理装置５００は、硬貨処理装置２０では受け付けられない硬貨を受け入れるための損貨入金口５１０と、受け付けた硬貨を分類して収納するための流通硬貨収納部５４０及び記念硬貨収納部５４４と、返却する硬貨を収納するための返却硬貨収納部５４２とを有している。受け付けた硬貨のうち、流通硬貨の損貨が流通硬貨収納部５４０に収納され、記念硬貨の正貨及び損貨が記念硬貨収納部５４４に収納される。
【００３２】
損券処理装置６００は、筐体上面前部に、紙幣処理装置１０では受け付けられない損券や、小切手、手形等の紙葉類を受け入れるための紙葉類入金口６１０を有し、筐体前面に、損券等の紙葉類を排出するための紙葉類出金口６８０と損券等を投入して保管するポスト６７０とを有している。
【００３３】
次に、現金処理装置１の機能構成について説明する。図３は、現金処理装置１の機能構成を示す機能ブロック図である。図３に示すように、現金処理装置１は、バラ紙幣及び束紙幣を処理する紙幣処理装置１０と、バラ硬貨及び包装硬貨を処理する硬貨処理装置２０と、紙幣処理装置１０による機械受付ができない汚損紙幣、損傷紙幣などの損券や発行された年代が古い旧券を処理する損券処理装置６００と、硬貨処理装置２０による機械受付ができない汚損硬貨、損傷硬貨、変形硬貨などの損貨や発行された年代が古い旧貨及び記念硬貨を処理する損貨処理装置５００と、これらの装置に接続されて各装置の機能及び動作を制御する管理制御部３０と、該管理制御部３０を操作するための表示操作部４０と、収納された貨幣の明細情報等を印刷するためのプリンタ５０とを有する。
【００３４】
管理制御部３０は、その内部に紙幣処理制御部３１、硬貨処理制御部３２、特殊媒体処理制御部３３及び表示操作処理部３４を有する。紙幣処理制御部３１は、紙幣処理装置１０の動作を制御する処理部であり、バラ入出金処理部３１ａ、束入出金処理部３１ｂ、結束処理部３１ｃ及び精査処理部３１ｄを有する。
【００３５】
バラ入出金処理部３１ａは、紙幣処理装置１０によるバラ紙幣の入出金を制御する処理部である。束入出金処理部３１ｂは、紙幣処理装置１０による束紙幣の入出金を制御する処理部である。結束処理部３１ｃは、バラ紙幣を結束し、束紙幣にする処理を制御する処理部である。精査処理部３１ｄは、紙幣処理装置１０の内部におけるバラ紙幣や束紙幣を計数し、その在高を確認して更新する処理部である。
【００３６】
硬貨処理制御部３２は、硬貨処理装置２０の動作を制御する処理部であり、バラ入出金処理部３２ａ、棒金入出金処理部３２ｂ、包装処理部３２ｃ及び精査処理部３２ｄを有する。
【００３７】
バラ入出金処理部３２ａは、硬貨処理装置２０によるバラ硬貨の入出金を制御する処理部である。棒金入出金処理部３２ｂは、硬貨処理装置２０による包装硬貨（いわゆる棒金）の入出金を制御する処理部である。包装処理部３２ｃは、バラ硬貨を包装し、包装硬貨にする処理を制御する処理部である。精査処理部３２ｄは、硬貨処理装置２０の内部におけるバラ硬貨や包装硬貨を計数し、その在高を確認して更新する処理部である。
【００３８】
特殊媒体処理制御部３３は、損貨処理装置５００及び損券処理装置６００の動作を制御する処理部であり、受付処理部３３ａ、払出処理部３３ｂ、印字処理部３３ｃ及び特殊媒体データ管理部３３ｄを有する。
【００３９】
受付処理部３３ａは、特殊貨幣、記念硬貨などの特殊貨幣と手形、小切手などの受付を制御する処理部である。具体的には、受付処理部３３ａは、特殊貨幣が投入された場合に、その画像を撮像し、種類、金種及び券種等の入力を受け付ける。そして、種類、金種及び券種等に対応する収納部に各特殊媒体を収納する。
【００４０】
払出処理部３３ｂは、特殊媒体の払出を制御する処理部である。払出処理部３３ｂは、収納された特殊媒体の払出を求める操作を受け付けた場合に、対応する収納部から特殊媒体を払い出させる。
【００４１】
印字処理部３３ｃは、受付処理部３３ａが特殊貨幣を受け付けた場合に、特定情報の印字を行う処理部である。受付処理部３３ａが特殊貨幣を受け付け、その表面が撮像され、貨幣情報が入力されると、印字処理部３３ｃは、特殊貨幣に特定情報を印字する。印字処理部３３ｃによる印字が行われた場合には、受付処理部３３ａは、印字を行った特殊貨幣を再び撮像し、その後、特殊貨幣を搬送して所定の収納部に収納する。
【００４２】
特殊媒体データ管理部３３ｄは、損貨処理装置５００及び損券処理装置６００に収納された特殊媒体を管理する処理部である。特に、特殊媒体データ管理部３３ｄは、特殊貨幣について、印字前画像、印字後画像、貨幣情報及び特定情報を関連付けたデータを保持している。
【００４３】
表示操作処理部３４は、表示操作部４０に対する表示制御と、表示操作部４０に対する操作の受付とを行う処理部である。表示操作処理部３４は、紙幣処理装置１０、硬貨処理装置２０、損貨処理装置５００及び損券処理装置６００の操作に関与する。
【００４４】
特に、受付処理部３３ａが特殊貨幣を受け付け、その表面が撮像された場合には、表示操作処理部３４は、特殊貨幣の画像を表示操作部４０に表示する。このとき、少なくとも記番号が視認可能となるように表示する。また、印字後の特殊貨幣を撮像した画像についても表示操作部４０に表示可能である。
【００４５】
次に、特殊媒体データ管理部３３ｄが管理するデータについて説明する。図４は、特殊媒体データ管理部３３ｄが管理するデータについて説明するための説明図である。図４に示すように、特殊貨幣を印字前に撮像した印字前画像と、印字後に撮影した印字後画像と、貨幣情報と、特定情報とが関連付けられている。貨幣情報には、金種、券種および特殊貨幣の価値を含み、特定情報には処理日時、券種別連番、支店名及び担当者を含む。
【００４６】
図４では、印字前画像が「Ｆ００００１ａ．ｊｐｇ」であり、印字後画像が「Ｆ００００１ｂ．ｊｐｇ」であり、金種が「１００００」であり、券種が「Ｅ」であり、処理日時が「２０１３／０９／１２  １２：１３：１４」であり、券種別連番が５８４−０００１７」であり、支店名が「ＸＸ」であり、担当者が「ＯＯ」である状態を示している。
【００４７】
次に、特殊貨幣の受付に係る処理手順について説明する。図５は、特殊貨幣の受付に係る処理手順を示すフローチャートである。まず、紙葉類入金口６１０に投入された特殊貨幣を受け付けると（ステップＳ１０１）、特殊媒体処理制御部３３の受付処理部３３ａは、損券処理装置６００に特殊貨幣を撮像させる（ステップＳ１０２）。表示操作処理部３４は、撮像により得られた特殊貨幣の画像を表示操作部４０に表示する（ステップＳ１０３。
【００４８】
その後、特殊貨幣の金種、券種及び特殊貨幣の価値等の貨幣情報の入力を受け付け（ステップＳ１０４）、記番号の一致等の確認が完了したか否かを判定する（ステップＳ１０５）。確認が完了していなければ（ステップＳ１０５；Ｎｏ）、ステップＳ１０４に移行する。そして、確認が完了したならば（ステップＳ１０５；Ｙｅｓ）、印字処理部３３ｃは、特殊貨幣がキャリアシートに被覆されているか否かを判定する（ステップＳ１０６）。
【００４９】
キャリアシートに被覆されていなければ（ステップＳ１０６；Ｎｏ）、印字処理部３３ｃは、特殊貨幣に対して特定情報の印字を行う（ステップＳ１０７）。受付処理部３３ａは、印字を行った特殊貨幣を再び撮像させる（ステップＳ１０８）。表示操作処理部３４は、撮像により得られた印字後の特殊貨幣の画像を表示操作部４０に表示する（ステップＳ１０９）。
【００５０】
特殊媒体データ管理部３３ｄは、ステップＳ１０２で撮像した印字前画像と、ステップＳ１０８で撮像した印字後画像と、ステップＳ１０４で受け付けた貨幣情報と、ステップＳ１０７で印字した特定情報とを関連付けて格納する（ステップＳ１１０）。ステップＳ１１０の後、若しくは特殊貨幣がキャリアシートに被覆されている場合（ステップＳ１０６；Ｙｅｓ）、受付処理部３３ａは、特殊貨幣を収納部に搬送させて（ステップＳ１１１）、処理を終了する。
【００５１】
次に、紙幣処理装置１０を構成するバラ紙幣処理部１００及び束紙幣処理部２００について説明する。図６はバラ紙幣処理部１００の構成を示すブロック図であり、図７は束紙幣処理部２００の構成を示すブロック図である。図２に示したように、バラ紙幣処理部１００及び束紙幣処理部２００を左右に配置して紙幣処理装置１０が構成されている。
【００５２】
図６に示すように、バラ紙幣処理部１００には、外部から筐体１０２内に紙幣を投入するためのバラ紙幣入金口１１０及び筐体１０２内から外部にバラ紙幣を投出するためのバラ紙幣出金口１５２が設けられている。バラ紙幣入金口１１０の紙幣は紙幣繰出部１１２により１枚ずつ筐体１０２内に繰り出され、入金搬送部１１４により搬送される。入金搬送部１１４に設けられた入金識別部１１６により、搬送される紙幣の金種、真偽、正損、新旧等が識別される。また、入金識別部１１６の紙幣搬送方向下流側には表裏反転部１１８が設けられ、入金識別部１１６により識別された紙幣の表裏が揃えられるようになっている。また、入金識別部１１６により、正常な紙幣ではないと識別された紙幣、すなわちリジェクト紙幣は入金リジェクト部１２０からリジェクトされる。
【００５３】
入金搬送部１１４には１つの一括一時保留部１３０と、複数の金種別一時保留部１３２とが接続されている。一括一時保留部１３０には複数金種の紙幣が混合状態で一時的に保留され、各金種別一時保留部１３２にはそれぞれ特定の金種の紙幣が一時的に保留される。また、一括一時保留部１３０に対応して１つの一括紙幣収納庫１４０が設けられ、各金種別一時保留部１３２に対応して金種別紙幣収納庫１４２が設けられている。一括紙幣収納庫１４０には一括一時保留部１３０から送られた紙幣が積層状態で収納され、金種別紙幣収納庫１４２には対応する金種別一時保留部１３２から送られた紙幣が積層状態で収納される。また、一括紙幣収納庫１４０及び各金種別紙幣収納庫１４２にはそれぞれ紙幣繰出部１４４が設けられており、一括紙幣収納庫１４０及び各金種別紙幣収納庫１４２の紙幣を１枚ずつ繰り出せるようになっている。なお、一括紙幣収納庫１４０には、例えば、市場での再利用に適さないと判定された損券や各金種別紙幣収納庫１４２が満杯となって収納できなかった紙幣等が、金種混合状態で収納される。
【００５４】
各紙幣繰出部１４４には下部搬送部１４６が接続されており、一括紙幣収納庫１４０や各金種別紙幣収納庫１４２から繰り出された紙幣が下部搬送部１４６により１枚ずつ搬送される。下部搬送部１４６には出金識別部１４８が接続されており、下部搬送部１４６により搬送される紙幣の金種、真偽、正損、新旧等が識別されるようになっている。また、出金識別部１４８には出金搬送部１５０が接続されている。出金搬送部１５０には、バラ紙幣出金口１５２、出金リジェクト部１５４、２つの整理一時保留部１６０がそれぞれ接続されており、出金識別部１４８により識別された紙幣のうち、筐体１０２の外部に投出される紙幣はバラ紙幣出金口１５２に送られて、バラ紙幣出金口１５２内部に集積される。また、出金識別部１４８により正常な紙幣ではないと識別された紙幣、すなわちリジェクト紙幣は、出金搬送部１５０により出金リジェクト部１５４に送られる。出金リジェクト部１５４に集積されたリジェクト紙幣は、バラ紙幣処理部１００の筐体１０２に設けられた扉を開いて取り出せるようになっている。また、出金識別部１４８により識別された紙幣のうち、束紙幣処理部２００により結束される紙幣は出金搬送部１５０により各整理一時保留部１６０に送られるようになっている。各整理一時保留部１６０では、出金搬送部１５０から送られた紙幣が積層状態で集積される。
【００５５】
入金搬送部１１４や出金搬送部１５０における分岐箇所にはそれぞれ分岐部材１７０が設けられており、これらの分岐部材１７０により、分岐箇所における紙幣の搬送先が制御されるようになっている。また、入金搬送部１１４、下部搬送部１４６、出金搬送部１５０には紙幣を検出する紙幣検出センサ１８０が複数設けられており分岐部材１７０による紙幣の搬送先制御のタイミングを決定するために利用されている。
【００５６】
図７に示すように、束紙幣処理部２００には、バラ紙幣処理部１００内の整理一時保留部１６０に集積された紙幣の束を取り出すためのアーム部２１０と、アーム部２１０によって取り出された紙幣の束を帯封（結束）するための帯封部２１２とが設けられている。アーム部２１０は、例えば、上下一対のアーム（上アーム及び下アーム）から構成されており、整理一時保留部１６０に集積された紙幣の束を、上下一対のアームで上下方向から挟んで整理一時保留部１６０から取り出すようになっている。帯封部２１２の近傍にはテープセット部２１４が設けられており、このテープセット部２１４から帯封部２１２に送られた帯封紙によって、帯封部２１２において、例えば１００枚の紙幣の束が帯封される。帯封部２１２には帯封紙幣搬送部２１６が接続されており、帯封部２１２により帯封された束紙幣は帯封紙幣搬送部２１６により帯封紙幣出金口２１８に搬送される。帯封紙幣出金口２１８は束紙幣処理部２００の筐体２０２外部からアクセス可能となっており、操作員はこの帯封紙幣出金口２１８に送られた束紙幣を筐体２０２外から取り出せるようになっている。
【００５７】
また、帯封紙幣出金口２１８には帯封紙幣収納出金部２２０やリフト部２２４が接続されている。帯封紙幣収納出金部２２０には帯封紙幣判別部２２２が設けられており、帯封紙幣出金口２１８から帯封紙幣収納出金部２２０に送られた束紙幣の金種等の判別を行うようになっている。また、帯封紙幣収納出金部２２０には複数の帯封紙幣収納カセット２３０が接続されており、帯封紙幣出金口２１８により筐体２０２の外部に投出されない束紙幣が各帯封紙幣収納カセット２３０に金種別に収納される。各帯封紙幣収納カセット２３０にはカセット駆動部２３２が設けられており、各帯封紙幣収納カセット２３０に収納された束紙幣が帯封紙幣収納出金部２２０に戻されるようになっている。各帯封紙幣収納カセット２３０から帯封紙幣収納出金部２２０に戻された束紙幣は帯封紙幣出金口２１８に送られて、筐体２０２の外部に投出される。また、帯封紙幣出金口２１８に送られた束紙幣はリフト部２２４により上下方向に搬送可能となっている。リフト部２２４の下部には束紙幣回収用の帯封紙幣投出口２２１が設けられており、ここから束紙幣を筐体２０２の外部に投出することも可能である。
【００５８】
次に、硬貨処理装置２０を構成するバラ硬貨処理部３００及び包装硬貨処理部４００について説明する。図８はバラ硬貨処理部３００の構成を示すブロック図であり、図９は包装硬貨処理部４００の構成を示すブロック図である。図２に示したように、バラ硬貨処理部３００及び包装硬貨処理部４００を左右に配置して硬貨処理装置２０が構成されている。
【００５９】
図８に示すように、バラ硬貨処理部３００の筐体３０２上部には、バラ硬貨を外部から受け入れるバラ硬貨入金口３１０と、このバラ硬貨入金口３１０から、装置内で硬貨を搬送する搬送路上に１枚ずつ硬貨を繰り出す硬貨繰出部３１２と、搬送路を搬送される硬貨の金種、真偽、正損、新旧等を識別する入金識別部３１４が配置されている。入金識別部３１４により識別された硬貨は、硬貨選別部３２０に搬送されて、ここで識別結果に基づいて選別される。正常な硬貨ではないと識別された硬貨、すなわちリジェクト硬貨は、入金リジェクト口３２２からリジェクトされる。
【００６０】
硬貨選別部３２０には１つの一括一時保留部３３０と、複数の金種別一時保留部３３２とがそれぞれ接続されている。一括一時保留部３３０には複数金種の硬貨が混合状態で一時的に保留され、各金種別一時保留部３３２にはそれぞれ特定の金種の硬貨が一時的に保留される。また、一括一時保留部３３０に対応して１つの一括硬貨収納庫３４０が設けられ、各金種別一時保留部３３２に対応して金種別硬貨収納庫３４２が設けられている。
【００６１】
入金処理時に、入金硬貨を識別して一時保留した状態で入金が確定されると、一括一時保留部３３０内の硬貨は一括硬貨収納庫３４０へ収納され、金種別一時保留部３３２内の硬貨は金種別硬貨収納庫３４２へ収納される。入金処理がキャンセルされた場合には、一括一時保留部３３０及び金種別一時保留部３３２内の硬貨は、返却回収箱３２６から返却される。なお、一括硬貨収納庫３４０は、例えば、市場での再利用に適さないと判定された損貨や各金種別硬貨収納庫３４２が満杯となって収納できなかった硬貨等が、金種混合状態で収納される。
【００６２】
一括硬貨収納庫３４０及び各金種別硬貨収納庫３４２にはそれぞれ硬貨繰出部３４４が設けられており、一括硬貨収納庫３４０及び各金種別硬貨収納庫３４２の硬貨を１枚ずつ繰り出せるようになっている。各硬貨繰出部３４４にはバラ硬貨搬送部３５０が接続されており、一括硬貨収納庫３４０及び各金種別硬貨収納庫３４２から繰り出された硬貨がバラ硬貨搬送部３５０により搬送される。
【００６３】
バラ硬貨搬送部３５０に繰り出された硬貨を袋取シュート部３２４から回収する場合には、バラ硬貨搬送部３５０から入金識別部３１４へ向けて硬貨が搬送される。袋取シュート部３２４には硬貨袋を取り付けられるようになっており、入金識別部３１４により枚数計数された硬貨が、硬貨選別部３２０から袋取シュート部３２４へ送られて、硬貨袋内へ回収される。
【００６４】
一方、バラ硬貨搬送部３５０に繰り出された硬貨をバラ硬貨出金口３７０から出金する場合には、バラ硬貨搬送部３５０から出金識別部３５２へ向けて硬貨が搬送される。出金識別部３５２では、バラ硬貨搬送部３５０から搬送される硬貨の金種、真偽、正損、新旧等が識別される。出金識別部３５２には出金一時保留部３５４が接続されており、出金識別部３５２により識別された硬貨は出金一時保留部３５４に搬送される。出金一時保留部３５４には出金リジェクト箱３５６及び出金箱３６０が接続されており、出金識別部３５２による識別結果に基づいて、出金対象となる硬貨は出金箱３６０へ収納され、リジェクト硬貨は出金リジェクト箱３５６へ収納される。出金箱３６０は上下に移動可能に設けられており、出金対象となる全ての硬貨が収納された後、上方へ移動してバラ硬貨出金口３７０から硬貨を出金する。出金リジェクト箱３５６内のリジェクト硬貨は、筐体３０２に設けられた扉を開いて取り出せるようになっている。
【００６５】
金種別硬貨収納庫３４２に収納された硬貨により包装硬貨を作成する場合には、硬貨繰出部３４４によって金種別硬貨収納庫３４２から繰り出された硬貨が、受渡バラ硬貨収納部３８０に収納される。
【００６６】
図９に示すように、包装硬貨処理部４００では、受渡バラ硬貨収納部３８０に収納された硬貨が硬貨繰出部４１０によって繰り出されて硬貨包装部４２０へ搬送され、ここで所定枚数（例えば５０枚）の硬貨を包装した包装硬貨が作成される。硬貨包装部４２０では、硬貨繰出部４１０によって繰り出された硬貨が所定枚数に達しなかった場合、作成した包装硬貨の長さが所定値を超えるために異常であると判断された場合に、これらが端数箱４３０へ収納される。端数箱４３０に収納された硬貨は、筐体４０２に設けられた扉を開いて取り出せるようになっている。
【００６７】
所定枚数の硬貨を包装して正常に包装硬貨が作成された場合には、この包装硬貨が硬貨包装部４２０から包装硬貨搬送部４４０へと送られる。そして、包装硬貨は、包装硬貨搬送部４４０により、包装硬貨の金種に対応する金種別包装硬貨収納庫４５０へ収納される。また、硬貨包装部４２０によって作成した包装硬貨を、包装硬貨搬送部４４０によって搬送し、包装硬貨一括箱４６０、包装硬貨出金口４８０又は包装硬貨投出口４７０を利用して外部に排出することもできる。
【００６８】
また、金種別包装硬貨収納庫４５０に収納された包装硬貨は包装硬貨搬送部４４０へ繰り出せるようになっており、金種別包装硬貨収納庫４５０から繰り出された包装硬貨を、包装硬貨搬送部４４０によって搬送し、包装硬貨一括箱４６０、包装硬貨出金口４８０又は包装硬貨投出口４７０から外部に排出することもできる。
【００６９】
次に、損貨処理装置５００及び損券処理装置６００について説明する。図１０は損貨処理装置５００の構成を示すブロック図であり、図１１は損券処理装置６００の構成を示すブロック図である。
【００７０】
図１０に示す損貨処理装置５００では、損貨入金口５１０から硬貨（損貨又は記念硬貨）が入金されると、画像取得部５２０により硬貨の画像が取得され、この画像が現金処理装置１の表示操作部４０に表示される。画像取得部５２０によって画像が取得された硬貨は、損貨搬送部５３０により一時保留部５３５へ搬送されて一時的に収納される。
【００７１】
硬貨が一時保留部５３５内に収納された状態で、操作員が、表示操作部４０に表示された画像を確認しながら表示操作部４０を操作して、硬貨の種類等の情報を入力する。具体的には、この硬貨が、流通硬貨の損貨、記念硬貨の正貨又は損貨のいずれであるかを示す情報と、金種等を示す情報とを入力する。こうして硬貨の種類が決定されると、一時保留部５３５内の硬貨が繰り出され、損貨搬送部５３０によって搬送されて、硬貨の種類に応じて、流通硬貨収納部５４０又は記念硬貨収納部５４４へ収納される。流通硬貨収納部５４０には流通硬貨の損貨が収納され、記念硬貨収納部５４４には記念硬貨の正貨及び損貨が収納される。
【００７２】
硬貨（損貨又は記念硬貨）の出金時には、流通硬貨収納部５４０又は記念硬貨収納部５４４から出金対象となる硬貨が繰り出されて、損貨搬送部５３０によって搬送されて、返却硬貨収納部５４２へ収納される。図２に示した流通硬貨収納部５４０、返却硬貨収納部５４２及び記念硬貨収納部５４４はそれぞれが独立した箱形形状を有しており、筐体５０２前部から手前へ引き出せるように構成されている。これにより、返却硬貨収納部５４２に出金された硬貨を、手前に引き出した返却硬貨収納部５４２から取り出すことができる。ただし、流通硬貨収納部５４０及び記念硬貨収納部５４４から硬貨を出金する方法が、これに限定されるものではない。流通硬貨収納部５４０及び記念硬貨収納部５４４は、筐体から手前に引き出して内部に収納された硬貨を取り出し可能な構造を有しているので、これらの収納部を引き出して硬貨の出金や回収を行う態様であっても構わない。
【００７３】
図１１に示す損券処理装置６００では、紙葉類入金口６１０から損券が入金されると、この損券は紙葉類繰出部６１２によって装置内に繰り出される。そして、画像取得部６２０により損券の画像が取得され、この画像が現金処理装置１の表示操作部４０に表示される。画像取得部６２０によって画像が取得された損券は、印字部６２１に搬送される。
【００７４】
印字部６２１は、印字済ではなく、且つキャリアシートに挟まれていない損券については特定情報を印字した上で、画像取得部６２０に戻す。画像取得部６２０は、印字済の損券の画像を取得し、表示操作部４０に表示させる。その後、画像取得部６２０は、印字済の損券を再び印字部６２１に搬送する。印字部６２１は、印字済か、又はキャリアシートに挟まれている損券については、紙葉類搬送部６３０により一時保留部６４０に搬送し、一時保留部６４０内に一時的に収納する。
【００７５】
損券が一時保留部６４０内に収納された状態で、操作員が、表示操作部４０に表示された画像を確認しながら表示操作部４０を操作して、損券の種類等の情報を入力する。具体的には、損券の金種情報と、損券の券種を示す情報と、損券の価値を示す情報とを入力する。券種とは、紙幣の新旧に関する種類を特定するもので、例えば、金種が同じ一万円の紙幣が、券種では、紙幣の発行された年代によってＤ一万円券やＥ一万円券というように区別される。また、価値とは、損券の貨幣価値を示すもので、例えば、日本銀行では、損券が、一部が破れて欠損した紙幣である場合には、紙幣全体の面積に対する損券の残存面積の割合が２／３以上の場合は金種の全額の価値、２／５以上かつ２／３未満の場合は当該紙幣の金種の半額の価値、２／５未満の場合は価値がないと規定されている。表示操作部４０には、損券の券種や価値を判断するための参考となる券種のサンプル画像等の補助情報が表示され、操作員は、損券画像と補助情報とを確認しながら損券の券種及び価値を判断して入力できるようになっている。
【００７６】
こうして損券の種類が決定されると、一時保留部６４０内の損券が繰り出され、紙葉類搬送部６３０によって搬送されて、損券収納部（第１収納部）６５２又は損券収納繰出部（第２収納部）６５４に収納される。損券収納部６５２は損券を集積して収納する集積方式の収納部であり、キャリアシートを利用して装置内に繰り出された損券は損券収納部６５２へ収納される。一方、キャリアシートを利用することなく装置内に繰り出された損券はテープ式の損券収納繰出部６５４へ収納される。損券収納繰出部６５４は、ドラムによって巻き取られる２枚のテープの間に損券を挟み込んで収納するテープ式の収納部である。損券収納繰出部６５４では、損券をドラムに巻き取って収納することに加えて、ドラムを逆回転させてテープの間に挟み込んだ損券を紙葉類搬送部６３０に繰り出せるようになっている。
【００７７】
損券収納部６５２に集積された損券を回収する際には、筐体６０２の扉を開いて損券収納部６５２内の損券をキャリアシートごと取り出して回収する。損券収納繰出部６５４に収納された損券を回収する際には、損券収納繰出部６５４から紙葉類搬送部６３０に繰り出して、紙葉類出金口６８０へ排出してから回収する。
【００７８】
なお、ここでは損券の入金及び回収についてのみ説明するが、損券処理装置６００は、損券以外に小切手等の紙葉類の入金処理と新券（市場流通していない完封券）の出金処理とを行えるようになっている。具体的には、小切手入金時には、損券の場合と同様に、紙葉類入金口６１０から入金された小切手は、画像取得部６２０によって画像が取得された後、紙葉類搬送部６３０によって搬送されて小切手収納部６５０に収納される。また、新券出金時には、新券収納部６６０に収納されている新券が繰り出されて新券判別部６６２により金種のみを識別する簡易識別が行われた後、紙葉類搬送部６３０によって搬送されて紙葉類出金口６８０から出金される。なお、ここでは単一の画像取得部６２０で印字前後の画像を取得する構成を例示したが、画像取得部は複数設けてもよい。画像取得部を複数設ける構成では、例えば、取り込んだ損券画像を第１の画像取得部で取得し、貨幣情報が入力され、特定情報がオペレータに確認された後、印字部で特定情報を印字し、その後、第２の画像取得部で印字後の損券画像を取得すればよい。
【００７９】
現金処理装置１では、管理制御部３０が、上述した紙幣処理装置１０、硬貨処理装置２０、損貨処理装置５００及び損券処理装置６００で行われる各処理を監視して、各装置内部に収納されている貨幣の金額、枚数、正損の状態、形態等を管理している。また、管理制御部３０は、損券処理装置６００で撮像した特殊貨幣の画像を表示する際に、特殊貨幣の全体を示す全体画像や特殊貨幣の特定部分を拡大した部分画像を表示することができる。また、管理制御部３０は、全体画像と部分画像を同時に並べて表示する、全体画像と部分画像を個別に表示する等の表示態様を任意に切替えることが可能である。
【００８０】
次に、特殊貨幣のデータの利用について説明する。特殊貨幣については、印字前後の画像、貨幣情報及び特定情報を関連付けてデータ管理を行っているが、このデータは、現金処理装置１が設置された支店内で利用することができる他、支店外のセンタ等でも利用可能である。
【００８１】
まず、支店内で利用する場合、特殊貨幣のデータを参照することで、収納されている特殊貨幣を確認することが可能である。また、収納された特殊貨幣を取り出し、再度取り込ませて精査を行う場合には、精査時に印字済の特殊貨幣から特定情報を読み取り、事前に格納していたデータの特定情報と比較し、不一致の場合に報知を行うことができる。
【００８２】
また、特殊貨幣のデータを外部のセンタに送信することもできる。図１２は、センタで特殊貨幣のデータを利用する場合について説明するための説明図である。図１２に示すように支店Ｂ１に設けられた現金処理装置１と、センタＭ１内のセンタ端末Ｍ１ａとはネットワークを介して通信可能に接続されている。
【００８３】
現金処理装置１は、ネットワークを介して特殊貨幣のデータをセンタ端末Ｍ１ａに送信することが可能である。このため、センタ端末Ｍ１ａで特定情報の確認が可能となる。また、センタ端末Ｍ１ａは、読取装置Ｍ１ｂと接続されている。この読取装置Ｍ１ｂは、支店Ｂ１から輸送された印字済の特殊貨幣から特定情報を読み取る装置である。読取装置Ｍ１ｂが印字済の特殊貨幣から読み取った特定情報と、センタ端末Ｍ１ａが現金処理装置１から受信した特定情報とを比較することにより、特定情報に対する不正を検知することが可能である。
【００８４】
上述してきたように、本実施例にかかる現金処理装置１は、特殊貨幣が取り込まれた時点で特定情報の印字を自動的に行うことにより、その作業負担を大きく軽減することができる。また、特定情報と貨幣情報を関連付けて管理するので、特殊貨幣の管理を効率的に行うことができる。
【００８５】
なお、本実施例に示した特定情報及び貨幣情報はあくまで一例であり、本発明を限定するものではない。例えば、貨幣の金種と破損の程度により定まる貨幣価値を貨幣情報に含めてもよい。また、特定情報の項目、内容、印字の箇所についても任意に設定可能である。さらに、貨幣の汚れや破損の位置に応じて、特定情報の印字位置を選択可能としてもよい。
【００８６】
さらに、本実施例では、操作者が入力した貨幣情報を受け付ける場合を例示したが、画像処理等により貨幣情報の一部又は全てを自動取得するように構成してもよい。また、特殊貨幣の記番号を読み取って比較し、その一致を自動で判定するように構成してもよい。
【００８７】
また、本実施例に開示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。また、貨幣処理装置、特に、損券処理装置は、本実施例に示したように金融機関の店舗に設置する以外に、各店舗の貨幣を収集するセンタに設置してもよい。
【産業上の利用可能性】
【００８８】
以上のように、本発明に係る貨幣処理装置及び貨幣処理方法は、汚損した貨幣や旧貨幣等の管理を効率化し、作業負担を軽減することに適している。
【符号の説明】
【００８９】
１  現金処理装置
１０  紙幣処理装置
２０  硬貨処理装置
３０  管理制御部
３１  紙幣処理制御部
３１ａ  バラ入出金処理部
３１ｂ  束入出金処理部
３１ｃ  結束処理部
３１ｄ  精査処理部
３２  硬貨処理制御部
３２ａ  バラ入出金処理部
３２ｂ  棒金入出金処理部
３２ｃ  包装処理部
３２ｄ  精査処理部
３３  特殊媒体処理制御部
３３ａ  受付処理部
３３ｂ  払出処理部
３３ｃ  印字処理部
３３ｄ  特殊媒体データ管理部
３４  表示操作処理部
４０  表示操作部
５０  プリンタ
１００  バラ紙幣処理部
１０２、２０２、３０２、４０２、５０２、６０２  筐体
１１０  バラ紙幣入金口
１１２、１４４  紙幣繰出部
１１４  入金搬送部
１１６、３１４  入金識別部
１１８  表裏反転部
１２０  入金リジェクト部
１３０、３３０  一括一時保留部
１３２、３３２  金種別一時保留部
１４０  一括紙幣収納庫
１４２  金種別紙幣収納庫
１４６  下部搬送部
１４８、３５２  出金識別部
１５０  出金搬送部
１５２  バラ紙幣出金口
１５４、３５６  出金リジェクト部
１６０  整理一時保留部
１７０  分岐部材
１８０  紙幣検出センサ
２００  束紙幣処理部
２１０  アーム部
２１２  帯封部
２１４  テープセット部
２１６  帯封紙幣搬送部
２１８  帯封紙幣出金口
２２０  帯封紙幣収納出金部
２２１  帯封紙幣投出口
２２２  帯封紙幣判別部
２２４  リフト部
２３０  帯封紙幣収納カセット
２３２  カセット駆動部
３００  バラ硬貨処理部
３１０  バラ硬貨入金口
３１２、３４４、４１０  硬貨繰出部
３２０  硬貨選別部
３２２  入金リジェクト口
３２４  袋取シュート部
３２６  返却回収箱
３４０  一括硬貨収納庫
３４２  金種別硬貨収納庫
３５０  バラ硬貨搬送部
３５４  出金一時保留部
３６０  出金箱
３７０  バラ硬貨出金口
３８０  受渡バラ硬貨収納部
４００  包装硬貨処理部
４２０  硬貨包装部
４３０  端数箱
４４０  包装硬貨搬送部
４５０  金種別包装硬貨収納庫
４６０  包装硬貨一括箱
４７０  包装硬貨投出口
４８０  包装硬貨出金口
５００  損貨処理装置
５１０  損貨入金口
５２０、６２０  画像取得部
５３０  損貨搬送部
５３５、６４０  一時保留部
５４０  流通硬貨収納部
５４２  返却硬貨収納部
５４４  記念硬貨収納部
６００  損券処理装置
６１０  紙葉類入金口
６１２  紙葉類繰出部
６２１  印字部
６３０  紙葉類搬送部
６５０  小切手収納部
６５２  損券収納部
６５４  損券収納繰出部
６６０  新券収納部
６６２  新券判別部
６７０  ポスト
６８０  紙葉類出金口
【図１】
2015095106.tif 000003
【図２】
2015095106.tif 000004
【図３】
2015095106.tif 000005
【図４】
2015095106.tif 000006
【図５】
2015095106.tif 000007
【図６】
2015095106.tif 000008
【図７】
2015095106.tif 000009
【図８】
2015095106.tif 000010
【図９】
2015095106.tif 000011
【図１０】
2015095106.tif 000012
【図１１】
2015095106.tif 000013
【図１２】
2015095106.tif 000014